(57)【特許請求の範囲】
【請求項１】
複数のディスプレイを制御するディスプレイ制御部と、
前記ディスプレイの１つに表示されているカーソルを異なるディスプレイへ移動させるように指示するカーソル指示イベントを入力する入力部と、
カーソルが表示されているディスプレイにおけるカーソルの位置を記憶する記憶部と、
前記カーソル指示イベントの入力に基づき、前記記憶部に記憶されたカーソル位置を基準に異なるディスプレイにおけるカーソル位置を同じ位置に決定するカーソル制御部と
を備えることを特徴とするマルチ画面制御装置。
【請求項２】
複数のディスプレイを制御するディスプレイ制御部を用いて、複数のディスプレイを制御し、
入力部を用いて、前記ディスプレイの１つに表示されているカーソルを異なるディスプレイへ移動させるように指示するカーソル指示イベントを入力し、
記憶部を用いて、カーソルが表示されているディスプレイにおけるカーソルの位置を記憶し、
カーソル制御部を用いて、前記カーソル指示イベントの入力に基づき、前記記憶部に記憶されたカーソル位置を基準に異なるディスプレイにおけるカーソル位置を同じ位置に決定することを特徴とするマルチ画面制御方法。
【請求項３】
マルチ画面制御装置に利用される記憶媒体であって、
複数のディスプレイを制御するディスプレイ制御部を用いて、複数のディスプレイを制御し、
入力部を用いて、前記ディスプレイの１つに表示されているカーソルを異なるディスプレイへ移動させるように指示するカーソル指示イベントを入力し、
記憶部を用いて、カーソルが表示されているディスプレイにおけるカーソルの位置を記憶し、
カーソル制御部を用いて、前記カーソル指示イベントの入力に基づき、前記記憶部に記憶されたカーソル位置を基準に異なるディスプレイにおけるカーソル位置を同じ位置に決定する機能をコンピュータに実行させるマルチ画面制御プログラムを記憶した記憶媒体。
【発明の詳細な説明】
【０００１】
【発明が属する技術分野】
本発明は、複数の表示装置の画面から構成されたマルチ画面を制御するマルチ画面制御装置及び方法並びにこれに利用される記憶媒体に関する。
【０００２】
【従来の技術】
従来、展示会やデモンストレーションなどの広い会場において行われるイベントで、例えば、複数台の表示装置とホストコンピュータをケーブル接続して、ＬＡＮ接続方式、複数グラフィックサブシステム方式、または表示メモリ分割方式により各表示装置の画面に同じ画像情報、あるいは異なる画像情報を表示することにより、大勢の人達に同じ画像情報や異なる画像情報を提供していた。
【０００３】
しかしながら、ＬＡＮ接続方式では、１台の表示装置に対して、１つのホストコンピュータと表示制御装置が必要になるためコストが高くなり、制御プログラムも大規模になるという問題がある。
また、複数グラフィックサブシステム方式では、１台の表示装置に対して、１台の表示制御装置が必要になるためコストが高くなり、１台のホストコンピュータに接続される表示制御装置及び表示装置の数が制限されるという問題がある。また、表示メモリ分割方式では、表示メモリからの読み出し可能速度によって接続可能な表示装置の数が制限されるという問題がある。
このように、複数の表示装置を制御する場合、表示制御装置が表示装置と同じ台数必要であったり、接続可能な表示装置の数が制限されるという問題があった。
【０００４】
これらの問題を改善する従来技術として、特開平１１−３８９５０号公報の記載によれば、各表示装置に識別ＩＤを設け、中継器を介して各表示装置からの画像情報要求信号の出力の有無を監視し、その監視結果に基づいて、対象ＩＤの表示装置に対応する画像情報を画像メモリから読み出し、対象ＩＤの表示装置に分配して表示することにより、複数台の表示装置の表示制御を中継器を介して１台のホストコンピュータで制御することができ、かつ接続される表示装置の数に制限されない柔軟な表示制御システムが提案されている。
【０００５】
また、Ｗｉｎｄｏｗｓ９８など最近のウインドウシステム表示において、複数の表示装置を用いて、デスクトップ画面を表示することが可能なマルチディスプレイ機能がある。この機能は、大きな１台のモニタ画面を複数の画面に分割したようなものである。
【０００６】
図９は従来のマルチ画面制御方法の一例を示す図である。図９（ａ）は４台のモニタとホストコンピュータをケーブルで電気的に接続したマルチモニタを示している。例えば、図９（ｂ）に示すように、表示サイズが限られた一つの画面で、表、図、文章などを含む画像情報を編集することは難しいので、図９（ｃ）に示すように、複数の画面を連結した仮想画面を構成し、一つの画像情報を適当に分割して仮想画面の各画面に違う画像情報を表示することにより画像情報の編集操作を向上させることができる。
【０００７】
【発明か解決しようとする課題】
しかしながら、従来のマルチ画面制御方法では、例えば、図９（ｄ）に示すような画像情報の編集において、現在、表示されているモニタのカーソルを所望のモニタの画面にカーソルを移動させる場合、図９（ｅ）に示すように、カーソルが所定の順に配列された画面に移動する。
このように、カーソルを対象モニタの画面に瞬時に移動させることができないため、カーソル移動量が非常に大きくなり、カーソルの操作性が非常に悪いという問題がある。
【０００８】
また、特開平１１−３８９５０号公報の記載では、複数台の表示装置の画面を用いた画像情報の作成時におけるカーソルの操作性の改善技術は言及されていない。
【０００９】
本発明は以上の事情を考慮してなされたものであり、例えば、電気的に接続した複数の外部表示装置の各画面からなるマルチ画面に画像情報を編集する際に、マルチ画面に表示されたカーソルを次ぎに編集する画面に直接移動できるよう構成したことにより、マルチ画面におけるカーソルの移動処理を迅速に行うことができるマルチ画面制御装置及び方法並びにこれに利用される記憶媒体を提供する。
【００１０】
【課題を解決するための手段】
本発明は、複数のディスプレイを制御するディスプレイ制御部と、前記ディスプレイの１つに表示されているカーソルを異なるディスプレイへ移動させるように指示するカーソル指示イベントを入力する入力部と、カーソルが表示されているディスプレイにおけるカーソルの位置を記憶する記憶部と、前記カーソル指示イベントの入力に基づき、前記記憶部に記憶されたカーソル位置を基準に異なるディスプレイにおけるカーソル位置を同じ位置に決定するカーソル制御部とを備えることを特徴とするマルチ画面制御装置を提供するものである。
【００１１】
本発明によれば、電気的に接続した複数の外部表示装置の各画面からなるマルチ画面に画像情報を編集する際に、マルチ画面に表示されたカーソルを次ぎに編集する画面に直接移動できるよう構成したことにより、マルチ画面におけるカーソルの移動処理を迅速に行うことができる。これにより、編集する画面に表示されたカーソルを連続的に隣画面に移動させる必要がない。
【００１２】
前記カーソル制御部は、カーソルを設定されたＩＤの外部表示装置の画面のカーソル位置に移動させた際、入力部からのカーソル指示情報に応答してカーソルを該画面の任意のカーソル位置に移動させる構成にしてもよい。
この構成によれば、設定されたＩＤの外部表示装置の画面にカーソルを直接移動させてから、同画面で任意のカーソルを移動させて画像情報を編集することができるので、マルチ画像における編集操作が向上する。
【００１３】
前記入力部により設定画面において設定された設定結果を記憶する設定結果記憶部をさらに備え、前記設定結果記憶部は、カーソルの移動が許可された外部表示装置のＩＤを記憶する構成にしてもよい。
この構成によれば、カーソルが移動できる外部表示装置を制限することが可能となる。例えば、外部表示装置４台で構成されたマルチ画面のうち、２画面（ウインドウ）は、カーソルを移動して修正、追加を行う画面で、残りの２画面は、カーソルを表示しないで、画像情報を参照するだけの画面のような使い分けができる。また、カーソルが移動すると画像情報が壊れるような画面では、カーソルの移動を制限することもできる。
【００１４】
前記カーソル制御部によりカーソルを設定されたＩＤの外部表示装置の画面のカーソル位置に移動させた際、該画面に表示するウインドウの機能を有効にするウインドウ制御部をさらに備えた構成にしてもよい。
この構成によれば、カーソルを移動させてから、使用したいウインドウの機能（アプリケーション）を有効に設定する操作を省くことができる。
【００１５】
前記ウインドウ制御部により有効にしたウインドウのＩＤを記憶するウインドウＩＤ記憶部をさらに備え、前記カーソル制御部によりカーソルを次の外部表示装置の画面のカーソル位置に移動させた際、前記ウインドウ制御部は、ウインドウＩＤ記憶部に記憶されたＩＤのウインドウの機能を有効にする構成にしてもよい。
この構成によれば、前の画面で有効にしたウインドウの機能を、カーソルを移動した次の画面で有効にすることができる。
【００１６】
本発明の別の観点によれば、複数のディスプレイを制御するディスプレイ制御部を用いて、複数のディスプレイを制御し、入力部を用いて、前記ディスプレイの１つに表示されているカーソルを異なるディスプレイへ移動させるように指示するカーソル指示イベントを入力し、記憶部を用いて、カーソルが表示されているディスプレイにおけるカーソルの位置を記憶し、カーソル制御部を用いて、前記カーソル指示イベントの入力に基づき、前記記憶部に記憶されたカーソル位置を基準に異なるディスプレイにおけるカーソル位置を同じ位置に決定することを特徴とするマルチ画面制御方法が提供される。
【００１７】
【発明の実施の形態】
以下、図に示す実施形態に基づいて本発明を詳述する。なお、本発明はこれによって限定されるものではない。
【００１８】
図１は本発明の一実施形態のマルチ画面制御装置の構成を示すブロック図である。図１に示すように、マルチ画面制御装置は、主制御部１、入力部２、入力制御部３、設定画面表示部４、設定画面表示制御部５、バッファメモリ６、プログラムメモリ７、画像メモリ８、外部記憶媒体９、外部記憶媒体制御部１０、外部表示制御部１１−１〜１１−４、及びバス１２から構成されている。
【００１９】
主制御部１は、例えば、コンピュータのＣＰＵやＭＰＵで構成され、プログラムメモリ８または外部記憶媒体９に記憶されている制御プログラムを実行することによって装置全体をバス１２を介して制御し、かつ各種データの入出力を制御する。
【００２０】
また、主制御部１は、現在、外部表示装置のいずれかの画面に表示されているカーソルを設定されたＩＤの外部表示装置の画面のカーソル位置に直接移動させるカーソル制御部１ａとして機能する。
さらに、カーソル制御部１ａは、カーソルを設定されたＩＤの外部表示装置の画面のカーソル位置に移動させた際、入力部２からのカーソル指示情報に応答してカーソルを該画面の任意のカーソル位置に移動させるよう構成されている。
【００２１】
また、主制御部１は、カーソル制御部１ａによりカーソルを設定されたＩＤの外部表示装置１２の画面のカーソル位置に移動させた際、該画面に表示するウインドウの機能（アプリケーション）を有効にするウインドウ制御部１ｂとして機能する。
さらに、ウインドウ制御部１ｂは、カーソル制御部１ａによりカーソルを次の外部表示装置の画面のカーソル位置に移動させた際、ウインドウＩＤ記憶部６ｂに記憶されたＩＤのウインドウの機能を有効にするよう構成されている。
【００２２】
入力部２は、例えば、キーボード、マウス、タッチパネルなどで構成され、複数の外部表示装置１３−１〜１３−４の各画面に出力するための画像情報の入力、及び画像情報を編集するための指示情報を入力する。
入力制御部３は、例えば、入力制御プログラムで構成され、入力部２を制御し、入力された画像情報、カーソル指示イベントを含む指示情報を主制御部１に出力する。
【００２３】
設定画面表示部４は、例えば、ＣＲＴディスプレイ、液晶ディスプレイ、ＥＬディスプレイなどで構成され、カーソルの移動先の外部表示装置のＩＤ（識別番号）及びその画面のカーソル位置を設定するための設定画面を表示する。
設定画面表示制御部５は、例えば、設定画面表示制御プログラムで構成され、設定画面表示部４を制御し、設定画面表示部４の画面に表示する表示データの入出力を制御する。
【００２４】
バッファメモリ６は、例えば、ＲＡＭ、ＥＥＰＲＯＭなどの記憶媒体で構成され、主制御部１が装置の制御や画像の編集を行う際に使用するデータなどを記憶する。
また、バッファメモリ６は、入力部２により設定画面において設定された設定結果を記憶する設定結果記憶部６ａの領域を備えており、この設定結果記憶部６ａにカーソルの移動が許可された外部表示装置のＩＤやカーソル位置を記憶する。また、バッファメモリ６は、ウインドウ制御部１ｂにより有効にしたウインドウのＩＤを記憶するウインドウＩＤ記憶部６ｂの領域を備えている。
【００２５】
プログラムメモリ７は、例えば、ＲＯＭ、ＥＥＰＲＯＭなどの記憶媒体で構成され、主制御部１が装置を制御するための制御プログラムを記憶している。
画像メモリ８は、例えば、ＶＲＡＭで構成され、画面に表示されるべき画像データをビットマップで記憶している。
また、画像メモリ８は、入力された画像情報を各外部表示制御部１１−１〜１１−４の各接続部を介して各外部表示装置１２−１〜１２−４に出力可能に記憶する画像記憶部として機能する。
【００２６】
外部記憶媒体９は、例えば、フロッピーディスク（ＦＤ）、ハードディスク（ＨＤ）、光磁気ディスク（ＭＯ）などの記憶媒体で構成され、アプリケーションプログラム、制御プログラムを記憶する補助記憶媒体として使用する。
外部記憶媒体制御部１０は、ＦＤ、ＨＤ、ＭＯを駆動する駆動部とデータの書き込み／読み出し行うＲ／Ｗ部とを備えている。
【００２７】
外部表示制御部１１−１〜１１−４は、例えば、外部表示制御プログラム、接続部（インタフェース）などで構成され、ＩＤが付加された外部表示装置を接続部を介して無線または有線により電気的に接続し、複数の外部表示装置１２−１〜１２−４を個別に制御する。
【００２８】
外部表示装置（モニタ）１３−１〜１３−４は、例えば、ＣＲＴディスプレイ、液晶ディスプレイ、ＥＬディスプレイなどで構成され、本装置の外部表示制御部１１−１〜１１−４と電気的に接続して、マルチ画面を構成して、展示会やデモンストレーション、画像データの編集に利用される。また、外部表示装置１３−１〜１３−４は、個別に制御するためにそれぞれＩＤ（識別番号）が設定される。
【００２９】
この実施形態では、図１に示すように、４台の外部表示装置（モニタ）を電気的に接続するため、本装置内に４つの外部表示制御部１１−１〜１１−４を備えているが、主としてインタフェース機能として動作するため構成部品は大規模にならない。また、接続形態により１つの外部表示制御部でもＩＤを含めた制御信号によりＩＤを付加した外部表示装置を個別に制御することができる。
【００３０】
また、本実施形態では、設定画面を表示する設定画面表示部４及び設定画面表示制御部５を構成しているが、いずれかの外部表示装置の画面及び外部表示制御部を用いることにより、設定画面表示部４及び設定画面表示制御部５を削除することができる。
【００３１】
また、外部記憶媒体９に、ＩＤが付加された外部表示装置を電気的に接続する接続部を有する複数の外部表示制御部１１−１〜１１−４を用いて、接続部を介して複数の外部表示装置１３−１〜１３−４を個別に制御する機能と、入力部２を用いて、複数の外部表示装置１３−１〜１３−４の各画面に出力するための画像情報及び画像情報を編集するための指示情報を入力する機能と、画像記憶部８を用いて、入力された画像情報を各外部表示制御部１１−１〜１１−４の接続部を介して各外部表示装置１３−１〜１３−４に出力可能に記憶する機能と、設定画面表示部４を用いて、外部表示装置１３−１〜１３−４の各画面に表示された画像情報を編集する際にカーソルの移動先の外部表示装置１３−１〜１３−４のＩＤ及びその画面のカーソル位置を設定するための設定画面を表示する機能と、カーソル制御部１ａ用いて、現在、いずれかの画面に表示されているカーソルを設定されたＩＤの外部表示装置１３−１〜１３−４の画面のカーソル位置に直接移動させる機能とをコンピュータに実行させるマルチ画面制御プログラムを記憶してもよい。
【００３２】
よって、外部記憶媒体制御部１０により、外部記憶媒体９に記憶されたマルチ画面制御プログラムを読み出し、主制御部１に送出することにより、本発明のマルチ画面制御を実現することができる。
【００３３】
＜実施形態１＞
モニタの各画面に表示された画像情報を編集する際にカーソルの移動先のモニタのＩＤ及びその画面のカーソル位置を設定するための設定画面を設定画面表示部４により表示し、どのモニタの画面にカーソルを移動するかを決定し、カーソル制御部１ａの制御によって、現在、いずれかのモニタの画面に表示されているカーソルを設定されたＩＤのモニタの画面のカーソル位置に直接移動させる機能である。
【００３４】
例えば、マルチ画面で表示している際に、ある任意のイベント（「コントロール」＋「マウス左クリック」）で、カーソルが別のモニタに移動する。現在、カーソルを表示しているモニタにあるカーソル位置（モニタ１の中のカーソル位置）が別のモニタに移動した場合も同じ位置に移るものである。
通常は、カーソル移動順序はモニタ１→モニタ２→モニタ３→モニタ４→となるが、設定したモニタの画面に直接移動することができる。
【００３５】
＜実施形態２＞
カーソル制御部１ａが、カーソルを設定されたＩＤのモニタの画面のカーソル位置に移動させた際、入力部２からのカーソル指示情報を、カーソル移動データとして処理して、カーソルを同モニタの画面の任意のカーソル位置に移動させる機能である。
これにより、設定されたＩＤの外部表示装置の画面にカーソルを直接移動させてから、同画面で任意のカーソルを移動させて画像情報を編集することができるので、マルチ画像における編集操作が向上する。
【００３６】
図２は本実施形態の設定画面に表示される設定内容（１）を示す図である。図２に示す設定画面は、カーソルの移動先の外部表示装置のＩＤ（モニタ番号）及びその画面のカーソル位置を設定するためのものであり、入力部２により、モニタ１〜４の画面から表示すべきモニタのカーソル位置を設定する。また、各画面に対する相対的なカーソル位置を設定し、設定画面のＯＫボタンを押す。
この例では、マルチ画面は、モニタが４つあり横に並んでいる仮想画面とする。１画面はＸＧＡ（１０２４Ｘ７６８ドット）画面としている。
【００３７】
図３は本実施形態の設定結果記憶部に記憶される設定結果（１）を示す図である。図３に示すように、設定結果記憶部６ａに図２に示す設定画面で設定された設定結果を記憶する。ここでは、各モニタの画面にカーソルを移動する値を設定結果記憶部６ａを記憶する。
【００３８】
＜実施形態３＞
入力部２により設定画面において設定された設定結果として、カーソルの移動が許可されたモニタのＩＤを設定結果記憶部に記憶する機能である。
これにより、カーソルが移動できる外部表示装置１３−１〜１３−４を制限することが可能となる。例えば、４台の外部表示装置の画面で構成したマルチ画面のうち、２画面は、カーソルを移動して修正、追加を行う画面で、残りの２画面は、カーソルを表示しないで、画像情報を参照するだけの画面のような使い分けができる。また、カーソルが移動すると画像情報が壊れるような画面では、カーソルの移動を制限することもできる。
【００３９】
図４は本実施形態の設定画面に表示される設定内容（２）を示す図である。図４に示すように、カーソル移動が可能なモニタを選択するための設定画面を表示し、入力部２からのカーソル移動指示によりカーソルを移動する場合、どのモニタに移動するかを設定する。
ユーザーは、この設定画面で、例えば、モニタ１を移動可能とするが、モニタ２は移動させない設定を行う。これにより、画像情報を参照だけの画面にはカーソルを移動させない設定が可能となる。
【００４０】
図５は本実施形態の設定結果記憶部に記憶される設定結果（２）を示す図である。また、図５に示すように、設定結果記憶部６ａにカーソル移動が可能なモニタを記憶する。カーソルを異なるモニタに移動する場合、設定結果記憶部を参照することにより、カーソルを移動させようとしているモニタが移動可能かどうかを判断することができる。
【００４１】
＜実施形態４＞
カーソル制御部１ａによりカーソルを設定されたＩＤのモニタの画面のカーソル位置に移動させた際、ウインドウ制御部１ｂによりその画面に表示するウインドウの機能（アプリケーション）を有効（アクティブ）にする機能である。
これにより、カーソルを移動させてから、使用したいウインドウの機能を有効に設定する操作を省くことができる。
【００４２】
図６は本実施形態のマルチ画面及び設定画面の表示内容を示す図である。図６（ａ）では、モニタ１〜４の画面において、矩形枠内がウインドウを示し、アクティブに設定するものとする。
図６（ｂ）では、各モニタにカーソルを移動させた場合、どのウインドウをアクティブにするかを設定する設定画面を示す。それぞれ設定したいウインドウをマウスでクリックする。
図６（ｃ）では、モニタ４までのウインドウの設定について終了すれば、設定画面に確認内容が表示される。設定画面で確認して、これでＯＫならば、ＯＫボタンをクリックすることで、アクティブにしたいウインドウが設定される。
【００４３】
＜実施形態５＞
ウインドウ制御部１ｂにより有効にしたウインドウのＩＤをウインドウＩＤ記憶部６ｂに記憶し、カーソル制御部１ａによりカーソルを次のモニタの画面のカーソル位置に移動させた際、ウインドウ制御部１ｂは、ウインドウＩＤ記憶部６ｂに記憶されたＩＤのウインドウの機能を有効にする機能である。
これにより、前の画面で有効にしたウインドウの機能を、カーソルを移動した次の画面で有効にすることができる。
【００４４】
図７は本実施形態のウインドウＩＤ記憶部に記憶される記憶内容を示す図である。ウインドウＩＤをモニタ毎にウインドウＩＤ記憶部６ｂに記憶しておき、移動すべきモニタにカーソルを移動したとき、ウインドウＩＤ記憶部６ｂからアクティブにすべきウインドウを検索して、対象ＩＤのウインドウをアクティブに設定する。
【００４５】
図８は本実施形態のマルチ画面におけるカーソル移動処理を示すフローチャートである。図８において、
Ｓ１：入力部２からの指示情報の入力を待つ。
Ｓ２：カーソル移動指示（例えば、「コントロール」＋「マウス左クリック」）が入力されたか否かを判定する。
【００４６】
Ｓ３：Ｓ２で、カーソル移動指示以外の指示入力ならば、指示内容に対するイベント処理を行い、Ｓ１に戻る。
Ｓ４：Ｓ２で、カーソル移動指示が入力されたならば、現在、カーソルを表示しているモニタにおいて、アクティブになっているウインドウのＩＤをウインドウＩＤ記憶部６ｂに記憶する。
Ｓ５：現在、モニタの画面に表示されているカーソルのカーソル位置を計算し、カーソルが表示されているモニタのＩＤ（モニタ番号）を取得する。
【００４７】
Ｓ６：現在のモニタ番号から次にカーソルを移動するモニタのモニタ番号を取得する。この場合は、「モニタ番号＋１」の値を次にカーソルを移動するモニタ番号とする。
Ｓ７：カーソルを移動させるモニタでのカーソル位置を計算する。本実施形態では、仮想画面（計算上のマルチ画面）はＸＧＡ（１０２４ドット×７６８ドット）の画面が横に４個配列した画面とする。例えば、モニタ１からモニタ２に対してカーソルを移動する場合、仮想画面では、（Ｘ１、Ｙ１）→（Ｘ１＋１０２４、Ｙ１）とする。
Ｓ８：計算したカーソル位置を設定結果記憶部６ａに記憶する。
【００４８】
Ｓ９：設定結果記憶部６ａを参照し、カーソル移動が許可されたモニタか否かをチェックする。
これには２つの意味がある。まず、第１に、Ｓ６で、次のモニタに移動する場合に「＋１」していたが、最終のモニタ４から次のモニタに移るのはモニタ１であるため、単純に「＋１」してはいけない。この場合は、モニタ１に設定しなおし、Ｓ６に移行する。
第２に、Ｓ６で、次に移動するモニタが、カーソルの移動が許可されているか否かをチェックする。
【００４９】
Ｓ１０：Ｓ９で、カーソルの移動が許可されたモニタでないならば、設定結果記憶部６ａからカーソルの移動が許可されたモニタのＩＤを取得し、Ｓ７に戻る。
Ｓ１１：Ｓ９で、カーソルの移動が許可されたモニタならば、そのモニタのカーソル移動およびカーソル表示を実行する。
【００５０】
Ｓ１２：ウインドウＩＤ記憶部６ｂから、現在表示しているモニタのウインドウの機能をアクティブにするウインドウＩＤを取得する。
Ｓ１３：取得したウインドウＩＤのウインドウの機能をアクティブにする。
【００５１】
【発明の効果】
本発明によれば、電気的に接続した複数の外部表示装置の各画面からなるマルチ画面に画像情報を編集する際に、マルチ画面に表示されたカーソルを次ぎに編集する画面に直接移動できるよう構成したことにより、マルチ画面におけるカーソルの移動処理を迅速に行うことができる。これにより、編集する画面に表示されたカーソルを連続的に隣画面に移動させる必要がない。
【図面の簡単な説明】
【図１】本発明の一実施形態のマルチ画面制御装置の構成を示すブロック図である。
【図２】本実施形態の設定画面に表示される設定内容（１）を示す図である。
【図３】本実施形態の設定結果記憶部に記憶される設定結果（１）を示す図である。
【図４】本実施形態の設定画面に表示される設定内容（２）を示す図である。
【図５】本実施形態の設定結果記憶部に記憶される設定結果（２）を示す図である。
【図６】本実施形態のマルチ画面及び設定画面の表示内容を示す図である。
【図７】本実施形態のウインドウＩＤ記憶部に記憶される記憶内容を示す図である。
【図８】本実施形態のマルチ画面におけるカーソル移動処理を示すフローチャートである。
【図９】従来のマルチ画面制御方法の一例を示す図である。
【符号の説明】
１    主制御部
１ａ  カーソル制御部
１ｂ  ウインドウ制御部
２    入力部
３    入力制御部
４    設定画面表示部
５    設定画面表示制御部
６    バッファメモリ
６ａ  設定結果記憶部
６ｂ  ウインドウＩＤ記憶部
７    プログラムメモリ
８    画像メモリ
９    外部記憶媒体
１０    外部記憶媒体制御部
１１−１〜１１−４  外部表示制御部
１２    バス
１３−１〜１３−４  外部表示装置（モニタ）
【図１】
0003566916.tif 000002
【図２】
0003566916.tif 000003
【図３】
0003566916.tif 000004
【図４】
0003566916.tif 000005
【図５】
0003566916.tif 000006
【図６】
0003566916.tif 000007
【図７】
0003566916.tif 000008
【図８】
0003566916.tif 000009
【図９】
0003566916.tif 000010